(57)【要約】【課題】カーテンエアバッグ装置を備えた車両の内装構造において、ピラートリムの上端近傍部に連結される付設部材を設け、この付設部材を簡単に組み付け可能にすること、ピラートリムの上端部とルーフトリムとの間に隙間が生じにくくすること。【解決手段】ルーフトリムとピラートリムの境界を含むルーフトリム下端の隙間からカーテン部材を展開可能なカーテンエアバッグ４ａを含むエアバッグモジュール４を備え、ピラートリム１２には、ルーフトリム７及びピラートリム１２と車体との間に配設され且つピラートリム１２の上端近傍部に連結される付設部材２０が設けられ、この付設部材２０は、ピラートリム１２の車体への組み付け前に車体に組み付けできるように、ピラートリム１２とは別体に構成され、付設部材２０はピラートリム１２の上端近傍におけるルーフトリム７の車体側への移動を規制する規制部２２を有する。【選択図】  図４
2008162437.tif 000002
【特許請求の範囲】
【請求項１】
車両側部のウインドを覆うように、ピラートリムとピラートリムよりも軟質のルーフトリムとの境界を含むルーフトリム端部からカーテン部材を展開可能なカーテンエアバッグ手段を備えた車両の内装構造において、
前記ピラートリムには、ルーフトリム及びピラートリムと車体との間に配設され且つピラートリムの上端近傍部に連結される付設部材が設けられ、前記付設部材は、ピラートリムの上端近傍におけるルーフトリムの車体側への移動を規制する規制部を有すると共に、  この付設部材は、ピラートリムの車体への組み付け前に車体に組み付けできるように、ピラートリムとは別体に構成された、
ことを特徴とするカーテンエアバッグ手段を備えた車両の内装構造。
【請求項２】
前記付設部材は、ピラートリム側に形成された水平な支持壁で下方から受け止められる底壁部と、この底壁部から下方へ延びて前記支持壁の切欠き開口に係合挿通して下方へ突出する係合突部と、この係合突部に形成され且つピラートリム側のボス軸が挿入される嵌合孔とを備えたことを特徴とする請求項１に記載のカーテンエアバッグ手段を備えた車両の内装構造。
【請求項３】
前記付設部材は、カーテンエアバッグが展開する時カーテンエアバッグを案内するガイド部を備え、その付設部材は車体に対してピラートリムの延設方向に略沿った方向に上下移動可能となるように車体に支持されたことを特徴とする請求項１叉は２に記載のカーテンエアバッグ手段を備えた車両の内装構造。
【請求項４】
前記ピラートリムの上端近傍部には、ピラートリム上端部が係合するルーフトリム端部を収容する係合溝がピラートリムと付設部材とで形成されることを特徴とする請求項１〜３の何れかに記載のカーテンエアバッグ手段を備えた車両の内装構造。
【請求項５】
前記付設部材の規制部は、ピラートリム上端部が係合するようにルーフトリム端部に形成された開口部を挿通不可となる程大きく構成されたことを特徴とする請求項１に記載のカーテンエアバッグ手段を備えた車両の内装構造。
【請求項６】
車両側部のウインドを覆うように、ルーフトリムとピラートリムの境界を含むルーフトリム端部の隙間からカーテン部材を展開可能なカーテンエアバッグ手段を備えた車両の内装構造を組み付ける組付け方法において、
カーテンエアバッグを車体へ取り付けると共に、ピラートリムの上端近傍におけるルーフトリムの車体側への移動を規制する規制部を有し且つピラートリムとは別体に構成された付設部材を車体に仮組みする第１工程と、
次に前記ルーフトリムを車体に組み付ける第２工程と、
次に前記ピラートリムの車体への組付けと前記付設部材のピラートリムへの組み付けとを行う第３工程と、
を備えたことを特徴とするカーテンエアバッグ手段を備えた車両の内装構造の組付け方法。
【請求項７】
前記付設部材は収納状態のカーテンエアバッグに支持され、その収納状態のカーテンエアバッグと共に車体に仮組み付けされることを特徴とする請求項６に記載のカーテンエアバッグ手段を備えた車両の内装構造の組付け方法。
【請求項８】
前記付設部材は、第３工程において、前記ピラートリムの車体への固定と同時に、ピラートリムに固定されることを特徴とする請求項６叉は７に記載のカーテンエアバッグ手段を備えた車両の内装構造の組付け方法。
【発明の詳細な説明】
【技術分野】
【０００１】
本発明は、カーテンエアバッグ手段を備えた車両の内装構造及びその組付け方法に関し、特にピラートリムにそれと別体の付設部材を設け、この付設部材を介してルーフトリム下端部の移動や位置ズレを規制することを特徴とするものである。
【背景技術】
【０００２】
最近、自動車等の車両においては、衝突や横転時等に乗員を保護する為のエアバッグ装置が装備される。エアバッグ装置の中には、車両の側突や横転時に側部ウインドの内面にカーテン状に展開するカーテンエアバッグ装置が実用に供されつつある。
このカーテンエアバッグ装置のカーテンエアバッグは、ルーフトリムと車体間の空間に配設され、展開時にはピラートリムとルーフトリムの境界を含むルーフトリムの下端部と車体間の隙間から展開する。
【０００３】
上記のようにピラートリムとルーフトリムの境界を押し広げてカーテンエアバッグが展開する際に、カーテンエアバッグがピラートリムの上端に引っかかり、エアバッグの展開性が悪くなるという問題があり、その対策技術が種々提案されている。
【０００４】
特許文献１のエアバッグ配設構造においては、ルーフサイドレールの内側に収納状態のカーテンエアバッグ（カーテンエアバッグモジュール）が配設され、このカーテンエアバッグモジュールはルーフサイドレールのインナパネルに取り付けられ、そのインナパネルに、カーテンエアバッグの展開時にエアバッグを案内するジャンプ台が形成されている。他方、別のジャンプ台として、ピラートリムの上端部から上方へ一体的に突出するガイド部が設けられ、このガイド部にはカーテンエアバッグの展開時にエアバッグを案内する傾斜状のガイド壁面が形成され、また、このガイド部の下端付近においてピラートリムの上端近傍部には凹部（係合溝）が形成され、この凹部（係合溝）にルーフトリム下端縁を収納して係合させる構造が開示されている。
【０００５】
特許文献２のピラーガーニッシュ（ピラートリム）においては、車体インナパネルとルーフトリムとの間にカーテンエアバッグ用のエアバッグモジュールが配設され、ピラーガーニッシュにはその上端近傍から上方へ延出する案内部が一体形成され、この案内部の上端にエアバッグの展開時にエアバッグを案内する傾斜状の案内面が形成されている。また、案内部とピラーガーニッシュ上端部との間に前後方向に延びるストレートの溝状の凹部が形成され、この凹部にルーフトリムの下端部が挿入係合されている。
【０００６】
特許文献３の乗員拘束装置及びカーテンエアバッグ取り付け構造においては、車体インナパネルとルーフトリムとの間にカーテンエアバッグ用のエアバッグモジュールが配設され、ピラートリムにはその上端近傍から上方へ延出する案内部材が一体形成され、この案内部材の上端にエアバッグ展開時にエアバッグを案内する傾斜状のガイド壁が形成され、ピラートリムの上端部と案内部材とで平面視ほぼコ字状の係合溝が形成され、この係合溝にルーフトリムの下端縁部が係合される。他方、案内部材に係合溝内へ突出する複数の縦リブを形成し、これら縦リブによりルーフトリムの下端縁部を押えることでルーフトリムの抜け止めを図る構造も開示されている。
【０００７】
【特許文献１】特開平１１−９１４９０号公報
【特許文献２】特開２００２−５９８０２号公報
【特許文献３】特開２００５−３１３６７４号公報
【発明の開示】
【発明が解決しようとする課題】
【０００８】
ところで、ルーフトリムは、ピラートリムによりも軟質な素材で形成されており、カーテンエアバッグは、このような軟質なルーフトリムとピラートリムとの境界を含むルーフトリム端部から展開される。しかし、このようにルーフトリムは軟質であるため、例えば、不測にも乗員がルーフトリムのカーテンエアバッグが展開される部分を押圧するなどすると、ルーフトリムの一部が車体側へ移動するように変形してしまい、見映えを悪化させたり、カーテンエアバッグが展開する場合にカーテンエアバッグの展開安定性を阻害することが懸念される。これに対し、ルーフトリムのピラートリムの境界近傍において、ルーフトリムを車体側から支持するように、ルーフトリムの車体側への移動を規制する規制部を設けることで、このような不具合を防止できる。また、その場合、例えば、、特許文献１，２，３に記載したようなジャンプ台やガイド部等、ピラートリム上端部に設けた部材がある場合には、このような所定部材を流用して所定部材に規制部を設けてもよい。
【０００９】
このように、ピラートリム上端部の所定部材からルーフトリムの車体側、つまり裏面に向けて規制部を延設させると、規制部を含むピラートリム上端部の所定部材が大きくなり、ピラートリムの組み付け性が悪化する虞がある。つまり、ピラートリムの車体への組み付けは、通常、ルーフトリムの車体への組み付け後に行われるが、この場合、ピラートリム上端部を、車室側からルーフトリムの端部と車体との間を通って車体とルーフトリムやピラートリムとの間の空間に設置しなければならず、組み付け性が悪化する。
【００１０】
本発明の目的は、カーテンエアバッグ装置を備えた車両の内装構造において、ピラートリムの上端近傍部に連結される付設部材を設けることで、ピラートリムの上端部近傍のルーフトリムの変形が生じにくくすると共に、この付設部材を簡単に組み付け可能にすることなどである。
【課題を解決するための手段】
【００１１】
請求項１のカーテンエアバッグ手段を備えた車両の内装構造は、車両側部のウインドを覆うように、ピラートリムとピラートリムよりも軟質のルーフトリムとの境界を含むルーフトリム端部からカーテン部材を展開可能なカーテンエアバッグ手段を備えた車両の内装構造において、前記ピラートリムには、ルーフトリム及びピラートリムと車体との間に配設され且つピラートリムの上端近傍部に連結される付設部材が設けられ、前記付設部材は、ピラートリムの上端近傍におけるルーフトリムの車体側への移動を規制する規制部を有すると共に、この付設部材は、ピラートリムの車体への組み付け前に車体に組み付けできるように、ピラートリムとは別体に構成されたことを特徴とするものである。
【００１２】
前記ピラートリムの上端近傍部に連結される付設部材は、ルーフトリム及びピラートリムと車体との間に配設され、この付設部材は、ピラートリムとは別体に構成されているため、ピラートリムの車体への組み付け前に車体に組み付けられる。前記付設部材に、ピラートリムの上端近傍におけるルーフトリムの車体側への移動を規制する規制部を形成したため、ピラートリムの上端とルーフトリムとの間に隙間が生じにくくなる。
【００１３】
請求項２のカーテンエアバッグ手段を備えた車両の内装構造は、請求項１の発明において、前記付設部材は、ピラートリム側に形成された水平な支持壁で下方から受け止められる底壁部と、この底壁部から下方へ延びて前記支持壁の切欠き開口に係合挿通して下方へ突出する係合突部と、この係合突部に形成され且つピラートリム側のボス軸が挿入される嵌合孔とを備えたことを特徴としている。
【００１４】
請求項３のカーテンエアバッグ手段を備えた車両の内装構造は、請求項１叉は２の発明において、前記付設部材は、カーテンエアバッグが展開する時カーテンエアバッグを案内するガイド部を備え、その付設部材は車体に対してピラートリムの延設方向に略沿った方向に上下移動可能となるように車体に支持されたことを特徴としている。
【００１５】
請求項４のカーテンエアバッグ手段を備えた車両の内装構造は、請求項１〜３の何れかの発明において、前記ピラートリムの上端近傍部には、ピラートリム上端部が係合するルーフトリム端部を収容する係合溝がピラートリムと付設部材とで形成されることを特徴としている。
【００１６】
請求項５のカーテンエアバッグ手段を備えた車両の内装構造は、請求項１の発明において、前記付設部材の規制部は、ピラートリム上端部が係合するようにルーフトリム端部に形成された開口部を挿通不可となる程大きく大きく構成されたことを特徴としている。
【００１７】
請求項６のカーテンエアバッグ手段を備えた車両の内装構造の組付け方法は、車両側部のウインドを覆うように、ルーフトリムとピラートリムの境界を含むルーフトリム端部の隙間からカーテン部材を展開可能なカーテンエアバッグ手段を備えた車両の内装構造を組み付ける組付け方法において、カーテンエアバッグを車体へ取り付けると共に、ピラートリムの上端近傍におけるルーフトリムの車体側への移動を規制する規制部を有し且つピラートリムとは別体に構成された付設部材を車体に仮組みする第１工程と、次に前記ルーフトリムを車体に組み付ける第２工程と、次に前記ピラートリムの車体への組付けと前記付設部材のピラートリムへの組み付けとを行う第３工程とを備えたことを特徴としている。  
【００１８】
請求項７のカーテンエアバッグ手段を備えた車両の内装構造の組付け方法は、請求項６の発明において、前記付設部材は収納状態のカーテンエアバッグに支持され、その収納状態のカーテンエアバッグと共に車体に仮組み付けされることを特徴としている。
【００１９】
請求項８のカーテンエアバッグ手段を備えた車両の内装構造の組付け方法は、請求項６叉は７の発明において、前記付設部材は、第３工程において、前記ピラートリムの車体への固定と同時に、ピラートリムに固定されることを特徴としている。
【発明の効果】
【００２０】
請求項１の発明によれば、ピラートリムの上端近傍部に連結される付設部材を設け、この付設部材は、ピラートリムの車体への組み付け前にルーフトリム及びピラートリムと車体との間に組み付けできるようにピラートリムとは別体に構成され、この付設部材にピラートリムの上端近傍におけるルーフトリムの車体側への移動を規制する規制部が形成されたので、次の効果が得られる。
【００２１】
付設部材をピラートリムとは別体に構成するため、付ピラートリムの車体への組み付け前に付設部材をルーフトリム及びピラートリムと車体との間に組み付けることができ、付設部材の車体への組み付けを簡単に行うことができる。しかも、付設部材にピラートリムの上端近傍におけるルーフトリムの車体側への移動を規制する規制部を形成したので、ピラートリムの上端とルーフトリムとの境界付近におけるルーフトリムの変形が生じにくくなり、ピラートリムの上端付近の意匠性や乗員える見える外観が向上すると共に、カーテンエアバッグの展開安定性を向上できる。
【００２２】
請求項２の発明によれば、ピラートリム側の支持壁で下方から受け止められる底壁部を設けたため、ピラートリムが熱膨張しても、支持壁に対する付設部材の相対的位置関係は変動しないから、ピラートリムの熱膨張によりカーテンエアバッグの展開性が低下することがない。付設部材にその底壁部から下方へ延びて前記支持壁の切欠き開口に係合挿通して下方へ突出する係合突部を形成したため、付設部材とピラートリムとの位置関係を所期の状態に保持できる。また、前記係合突部にピラートリム側のボス軸が挿入される嵌合孔を形成したため、そのボス軸の先端のクリップを介して、ピラートリムの上端側部分を車体に組み付けることができる。
【００２３】
請求項３の発明によれば、前記付設部材がカーテンエアバッグが展開する時にカーテンエアバッグを案内するガイド部を備えているため、カーテンエアバッグの展開性を確保することができる。この付設部材は車体に対してピラートリムの延設方向に略沿った方向に上下移動可能となるように車体に支持されているため、ピラートリムが熱膨張し、ルーフトリム端部とピラートリム上端部との境界が上下移動するとき、付設部材もピラートリムの上端部と共にピラートリムの延設方向に略沿った方向に上下移動可能であるから、カーテンエアバッグの展開性が損なわれることがない。
【００２４】
請求項４の発明によれば、前記ピラートリムの上端近傍部に、ピラートリム上端部が係合するルーフトリム下端部を収容する係合溝をピラートリムと付設部材とで形成したため、ルーフトリム下端部を係合溝に収容することができるため、カーテンエアバッグの展開性を損なうことなく、ピラートリムの上端とルーフトリムとの間に隙間が生じるのを防止でき、この内装構造の意匠性や乗員から見える外観を確保することができる。
【００２５】
請求項５の発明によれば  付設部材の規制部をルーフトリムの車体側に対して、広い範囲で位置させることができ、こうした広い範囲でのルーフトリムの変形を防止できる。
【００２６】
請求項６の発明によれば、カーテンエアバッグを車体へ取り付けると共に、ピラートリムの上端近傍におけるルーフトリムの車体側への移動を規制する規制部を有し且つピラートリムとは別体に構成された付設部材を車体に仮組みする第１工程と、次に前記ルーフトリムを車体に組み付ける第２工程と、次に前記ピラートリムの車体への組付けと前記付設部材のピラートリムへの組み付けとを行う第３工程とを備えているため、カーテンエアバッグと付設部材を車体に組み付けてからルーフトリムを組み付け、その後ピラートリムの車体への組付けと前記付設部材のピラートリムへの組み付けを行うことができるため、付設部材の組み付けと、ピラートリムの組み付けを容易に円滑に行うことができる。その他、基本的に請求項１と同様の効果が得られる。
【００２７】
請求項７の発明によれば、前記付設部材は収納状態のカーテンエアバッグに支持され、その収納状態のカーテンエアバッグと共に車体に仮組み付けされるため、付設部材の仮組み付けを容易に能率的に行うことができる。
【００２８】
請求項８の発明によれば、前記付設部材は、第３工程において、前記ピラートリムの車体への固定と同時にピラートリムに固定されるため、付設部材の車体への固定を容易に能率的に行うことができる。
【発明を実施するための最良の形態】
【００２９】
本発明は、車両側部のウインドを覆うように、ルーフトリムとピラートリムの境界を含むルーフトリム下端の隙間からカーテン部材を展開可能なカーテンエアバッグ手段を備えた車両の内装構造とその内装構造の組み付け方法に関するものである。
【実施例１】
【００３０】
以下、本発明の実施例について図面に基づいて説明する。
図１、図２に示すように、自動車１の車室内には３列のシート装置２が装備され、車両側部のウインド３を含む内面側の上半部をカーテン状に覆うようにカーテン部材４ａを展開可能なカーテンエアバッグ装置を備えた車両の内装構造が設けられている。
【００３１】
カーテンエアバッグ装置は、自動車１の左側車体側部と右側車体側部とに夫々装備されるが、本実施例では自動車の右側車体側部に装備されたカーテンエアバッグ装置を例にして説明する。
【００３２】
このカーテンエアバッグ装置は、折り畳んだカーテンエアバッグ４ａをモジュールケース４ｂに収納したカーテンエアバッグモジュール４と、インフレータユニット４ｃと、自動車１の側突を検出する複数の側突検出センサ（図示略）及び自動車１のロール傾斜角を検出する傾斜角検出センサ（図示略）と、これら側突検出センサや傾斜角検出センサからの検出信号に基づいて側突や横転が検出されたときに、インフレータユニット４ｃを作動させてカーテンエアバッグ４ａをカーテン状に展開させるコントローラ（図示略）等を備えている。但し、超音波やマイクロ波を介して側突を予知する側突予知手段により側突を予知した時にもインフレータユニット４ｃを作動させるように構成してもよい。
【００３３】
図１に示すように、カーテンエアバッグモジュール４は、車体右側部のルーフサイドレール５よりやや下側部位の内面に、車室１１のほぼ全長に亙って配設されている。カーテンエアバッグ４ａが展開した状態は図２に斜線領域で示すとおりである。
【００３４】
図３〜図６に示すように、カーテンエアバッグモジュール４は、車体インナパネル６とルーフトリム７の下端側部分との間に配設され、Ｂピラー８とＣピラー９の個所では、カーテンエアバッグモジュール４の一部は車体のピラーインナ６ａとルーフトリム７の下端側部分との間に配設されている。カーテンエアバッグモジュール４のモジュールケース４ｂは、複数のクリップ１０により車体のインナパネル６やピラーインナ６ａに取り付けられる。
【００３５】
カーテンエアバッグ４ａが展開する際には、カーテンエアバッグ４ａは、ルーフトリム７の下端側部分を車室１１側へ押し開きながらルーフトリム７の下端側の隙間から車室１１内へ展開し、Ｂピラー８とＣピラー９の個所では、ルーフトリム７の下端側部分を車室１１側へ押し開きながら、ピラートリム１２，１３とルーフトリム７との境界から車室１１内へ展開する。
【００３６】
Ｂピラー８とＣピラー９の車室側内面には合成樹脂製のピラートリム１２，１３が設けられるが、Ｂピラー８の所の内装構造とＣピラー９の所の内装構造とはほぼ同様であるので、Ｂピラー８の部位における内装構造を例にして説明する。前記ルーフトリム７は、例えば微細発泡層と表皮層とからなる柔軟性と伸縮性と圧縮性があり且つピラートリム１２，１３よりも軟質のウレタン製成形シート材で構成されている。
【００３７】
Ｂピラー用のピラートリム１２は、ルーフトリムよりも硬質の例えばポリプロピレン等の硬質合成樹脂製の成形品である。そのピラートリム１２には、ピラートリム１２の上端近傍部に連結される合成樹脂製の付設部材２０が設けられ、この付設部材２０はピラートリム１２の車体への組み付け前に車体に組み付けできるようにピラートリム１２とは別体に構成され、この付設部材２０はルーフトリム７及びピラートリム１２と車体のインナパネル６とピラーインナ６ａとの間に配設される。
【００３８】
ピラートリム１２は、車室１１側の内壁部１２ａと、この内壁部１２ａの前端から外側へ湾曲した前壁部１２ｂと、内壁部１２ａの後端から外側へ湾曲した後壁部１２ｃとを一体形成して構成されている。内壁部１２ａの上端近傍部は上方程車室内１１側へ移行するように湾曲している。前壁部１２ｂの上端近傍部は上方程前方へ移行するように湾曲している。後壁部１２ｃの上端近傍部は上方程後方へ移行するように湾曲している。
【００３９】
ピラートリム１２に付設部材２０を連結する為に、ピラートリム１２の上端近傍部の外側（車室と反対側）には、水平な支持壁１３が形成され、この支持壁１３の前後方向中央部には矩形の切欠き開口１４が形成されている。付設部材２０は硬質の合成樹脂成形品であり、付設部材２０は、底壁部２１と、この底壁部２１から上方へ延出した湾曲板状の規制部２２と、規制部２２の上端の前後方向中央部から車幅方向外側へ且つ上方へ傾斜状に延出するガイド部２３と、１対の縦向きの補強リブ２４などを一体形成したものである。  
【００４０】
付設部材２０の底壁部２１は、ピラートリム１２の支持壁１３上に載置されて支持壁１３で受け止められる。この底壁部２１にはその前後方向中央部から下方へ延びて前記支持壁１３の切欠き開口１４に挿通係合して下方へ突出する係合突部２５が一体形成され、この係合突部２５にはピラートリム１２のボス軸１５が内嵌状に挿入される嵌合孔２５ａが形成されている。
【００４１】
図３、図４に示すように、付設部材２０の底壁部２１を支持壁１３上に載置し、係合突部２５を切欠き開口１４に係合させた状態において、規制部２２はピラートリム１２の上端よりもルーフとの端部の車体側（裏面）形状に略沿って上方へ所定長さ（例えば約１０〜１５ｍｍ）延出し、ピラートリム１２の上端近傍部と規制部２２の下半部とで、ルーフトリム７の下端部を収容する係合溝２６が平面視広幅のＵ形に形成され、ピラートリム１２を組み付けた状態においてルーフトリム７の下端部が係合溝２６のほぼ上半部に導入係合される。
【００４２】
尚、ルーフトリム７には、上記係合溝２６の形状に適合する形状の被係合部７ａであって係合溝２６に係合される被係合部７ａと、その下端に切欠き状に形成された開口部７ｂが設けられている。図３に示すように、付設部材２０の規制部２２の車両前後方向における前側の前壁部２２ｂはピラートリム１２の前壁部１２ｂの上方かつ前方へオーバーハング状に張り出している。同様に、規制部２２の後壁部２２ｃはピラートリム１２の後壁部１２ｃの上方かつ後方へオーバーハング状に張り出している。
【００４３】
この係合溝２６のうちピラートリム１２の内壁部１２ａに対応する内壁側係合溝部２６ａは、上方程溝厚（溝幅）が僅かに大きくなるように形成され、この内壁側係合溝部２６ａの中段部における溝厚（溝幅）はルーフトリム７の厚さとほぼ等しい。そのため、この内壁側係合溝部２６ａにおいて、ルーフトリム７の下端を除き、ルーフトリム７と規制部２２の壁面との間には僅かな隙間（約１〜２ｍｍ）があるため、カーテンエアバッグ４ａの展開性が損なわれることがないし、上記の規制部２２によりルーフトリム７の下端部が車体側（車幅方向外側）へ移動しないように規制されている。
【００４４】
係合溝２６のうちピラートリム１２の前壁部１２ｂに対応する前壁側係合溝部２６ｂは、ルーフトリム７の下端部を挟み込んで軽く拘束可能にする為にルーフトリム７とほぼ同厚の溝厚（溝幅）に形成されている。係合溝２６のうちピラートリム１２の後壁部１２ｃに対応する後壁側係合溝部２６ｃは、ルーフトリム７の下端部を挟み込んで軽く拘束可能にする為にルーフトリム７とほぼ同厚の溝厚（溝幅）に形成されている。
【００４５】
前記ガイド部２３は、カーテンエアバッグ４ａが展開する時にカーテンエアバッグ４ａを案内するものである。そのため、図４に示すように、展開するカーテンエアバッグ４ａがピラートリム１２の上端に引っ掛からないように、ガイド部２３の上面の延長線とピラートリム１２の上端との間には所定距離αが空けられている。前記ガイド部２３を補強する為、規制部２２の外面側には、規制部２２とガイド部２３とに亙る縦向きの１対の補強リブ２４が一体的に形成されている。
【００４６】
カーテンエアバッグモジュール４の車体への組み付け時に、付設部材２０をカーテンエアバッグモジュール４に支持させた状態でその収納状態のカーテンエアバッグモジュール４と共に車体に仮組み付けする。そのため、付設部材２０のガイド部２３の前後両端部には、前後へ例えば２〜３ｃｍ張り出す張出し部２３ａが形成され、カーテンエアバッグモジュール４の下面側に付設部材２０のガイド部２３をセットし、前後１対の張出し部２３ａとカーテンエアバッグモジュール４とに掛け回した紙テープ２７により付設部材２０がカーテンエアバッグモジュール４に支持され、その状態で車体に仮組み付けされる。
【００４７】
付設部材２０のガイド部２３の上端部には、前後１対の屈曲片２８が一体形成され、これら屈曲片２８を車体インナパネル６の上下方向に細長の１対の係止孔２９に係止させることで、付設部材２０は車体に対して上下移動可能となるように支持されている。
【００４８】
次に、図６を参照しながら、以上のカーテンエアバッグ装置含む内装構造を組み付ける方法について説明する。車体の組み立て後、第１の工程において、カーテンエアバッグモジュール４を車体のルーフサイドレール５よりやや下方の部位の内面側に組み付ける。このとき、カーテンエアバッグモジュール４に、予め付設部材２０を紙テープ２７にて固定しておき、カーテンエアバッグモジュール４と共に付設部材２０を組み付ける。このとき、カーテンエアバッグモジュール４のモジュールケース４ｂの複数の固定部４ｃを複数のクリップ１０により車体のインナパネル６に固定する。また、付設部材２０の上端の１対の屈曲片２８をピラーインナ６ａの１対の係止孔２９に挿入して係止させることにより、付設部材２０を車体に仮組み付けする。
【００４９】
次に、第２工程において、ルーフトリム７を車体のルーフの内面に組み付ける。その結果、カーテンエアバッグモジュール４は、ルーフトリム７の車幅方向外側部分で前後方向に沿って車室側から覆われた状態になる。次に、第３工程において、ピラートリム１２をピラーインナ６ａの内面に組み付ける。このとき、ピラートリム１２のボス軸１５を付設部材２０の係合突部２５の嵌合孔２５ａに嵌合させ、支持壁１３で底壁部２１を受け止めることで付設部材２０を支持し、ピラートリム１２の上下１対のボス軸１５の先端のクリップ１６をピラーインナ６ａの取付け孔に係合させることでピラートリム１２を車体に固定すると共に付設部材２０をピラーインナ６ａに固定する。そして、ピラートリム１２を組み付けることで前記の係合溝２６を形成し、この係合溝２６にルーフトリム７の下端部を係合させる。
【００５０】
以上のカーテンエアバッグ装置を備えた内装構造の作用、効果について説明する。
付設部材２０をカーテンエアバッグモジュール４に固定しておき、ルーフトリム７の組み付け前に、カーテンエアバッグモジュール４の組み付けと同時に組み付けるため、付設部材２０を簡単に能率的に組み付けることができる。その組み付け後、付設部材２０の１対の屈曲片２８を１対の係止孔２９に係止させるため、付設部材２０の仮組み付けも簡単に行うことができる。
【００５１】
その後、ルーフトリム７の組み付け後に、ピラートリム１２を組み付け、このピラートリム１２を介して付設部材２０を車体に固定するため、付設部材２０を車体に固定する為の特別の構造を省略可能であり、付設部材２０の構造を簡単化することができる。
しかも、ピラートリム１２の支持壁１３上に付設部材２０の底壁部２１を載置し、係合突部２５を支持壁１３の切欠き開口１４に係合させ、係合突部２５の嵌合孔２５ａにピラートリム１２のボス軸１５を嵌合させるため、ピラートリム１２と付設部材２０の位相対置が簡単に精度よく定まり、ピラートリム１２の熱膨張・収縮が生じても、ピラートリム１２と付設部材２０の位相対置に変動が生じないから、図４に図示の間隔αを一定に維持することできる。そのため、カーテンエアバッグ４ａの展開時に、ピラートリム上端部が熱膨張により上側に位置している場合に、カーテンエアバッグ４ａがピラートリム１２の上端に引っ掛かることがなく、確実に展開する。
【００５２】
ピラートリム１２の上端近傍部と付設部材２０とで係合溝２６を形成し、この係合溝２６にルーフトリム７の下端部を導入係合させる構造にし、付設部材２０の規制部２２によりルーフトリム７の下端部が車体側（車幅方向外側）へ移動しないように規制するため、ピラートリム１２の上端部とルーフトリム７間に隙間が生じにくく、ピラートリム１２とルーフトリム７の境界部を車室側から視た見栄え（外観）が良好になる。しかも、係合溝２６の内壁側係合溝部２６ａの大部分の溝厚（溝幅）は、ルーフトリム７の厚さよりもやや大きめに形成されているため、カーテンエアバッグ４ａの展開性を損なうことがない。  
【００５３】
係合溝２６の、前壁側係合溝部２６ｂと後壁側係合溝部２６ｃの溝厚（溝幅）は、ルーフトリム７の厚さとほぼ同厚で、ルーフトリム７の下端部を略挟むように構成され、しかも、図３に図示のようにオーバーハングする湾曲状に形成されているため、ピラートリム１２が熱膨張・収縮により伸縮しても、ルーフトリム７の下端部を挟んだ状態のまま伸縮する。それ故、ピラートリム１２の上端部とルーフトリム７間に隙間が生じにくく、ピラートリム１２とルーフトリム７の境界部の見映え（外観）が良好になる。
【００５４】
付設部材２０の上端の１対の折曲片２８は、１対の係止孔２９に係止され、付設部材２０の下部はクリップ１６を介して車体に固定されており、クリップ１６は上下方向に弾性変形可能であるので、付設部材２０は上下方向（ピラートリム１２の延設方向に沿う方向）に僅かに移動可能であるから、ピラートリム１２及び付設部材２０の熱膨張・収縮に円滑に追従可能となる。
【００５５】
次に、前記実施例を部分的に変更する例について説明する。
（１）上記の実施例では、カーテンエアバッグモジュール４に付設部材２０を予め固定しておき、ルーフトリム７を組み付ける前に、カーテンエアバッグモジュール４と付設部材２０とを同時に組み付けるようにしたが、ルーフトリム７の組み付け後であってピラートリム１２の組み付け前に、付設部材２０を組み付けることも可能である。
【００５６】
この場合、ルーフトリム７は伸縮性があるため、ルーフトリム７の被係合部７ａを引っ張って拡大した状態にして、被係合部７ａに形成された開口部７ｂから付設部材２０を組み付け、その１対の折曲片２８を１対の係止孔２９に係止させ、次にピラートリム１２を組付け、係合溝２６にルーフトリム７の下端部を導入係合させる。
【００５７】
（２）ピラートリム１２の断面形状は、前記実施例のものに限定される訳ではなく、種々の断面形状のピラートリムも適用可能である。
（３）その他、当業者であれば、本発明の趣旨を逸脱することなく、前記実施例を部分的に変更して実施可能であり、本発明はそのような変更例をも包含するものである。
【図面の簡単な説明】
【００５８】
【図１】本発明の実施例に係る自動車のカーテンエアバッグ装置を備えた内装構造の側面図である。
【図２】カーテンエアバッグ展開状態における前記内装構造の側面図である。
【図３】前記内装構造の要部拡大側面図である。
【図４】図３のIV−IV線断面図である。
【図５】図５のＶ−Ｖ線断面図である。
【図６】前記内装構造の要部分解斜視図である。
【符号の説明】
【００５９】
１        自動車
３        ウインド
４        カーテンエアバッグモジュール
４ａ      カーテンエアバッグ
６        インナパネル
６ａ      ピラーインナ
７        ルーフトリム
７ａ      被係合部
７ｂ      開口部
１２      ピラートリム
１３      支持壁
１４      切欠き開口部
１５      ボス軸
２０      付設部材
２１      底壁部
２２      規制部
２３      ガイド部
２４      補強ブラケット
２５      係合突部
２６      係合溝
２８      折曲片
２９      係止孔
【図１】
2008162437.tif 000003
【図２】
2008162437.tif 000004
【図３】
2008162437.tif 000005
【図４】
2008162437.tif 000006
【図５】
2008162437.tif 000007
【図６】
2008162437.tif 000008